(57)【要約】      （修正有）【課題】部分により厚みが異なる内容物でも効果的に固定でき、包装箱内で動いてしまって内容物に損傷が生じる虞のない包装箱を提供する。【解決手段】１枚のブランクシートを折り曲げて形成される包装箱１０であって、略矩形の底板Ｄと、略矩形の各辺から立ち上がる側板Ａ１、Ａ３、Ａ４を有し、対向する１組の側板Ａ１の、底板に連続する辺に対向する辺に、包装箱中央側に折り返される内フラップＢ１、Ｂ２が連設され、内フラップは、連設される側板と平行な方向に伸びる第一折線Ｆ１１、Ｆ２１が、内フラップの長さ方向の中央よりも内フラップ先端側に設けられ、第一折線で内フラップの先端側が底板側に折り返されて斜め下方に延伸する。【選択図】図２
0003210339.tif 000002
【実用新案登録請求の範囲】
【請求項１】
１枚のブランクシートを折り曲げて形成される包装箱であって、略矩形の底板と、略矩形の各辺から立ち上がる側板を有し、対向する１組の側板それぞれの、底板に連続する辺に対向する辺に、包装箱中央側に折り返される内フラップが連設され、前記内フラップは、連設される側板と平行な方向に伸びる第一折線が、前記内フラップの長さ方向の中央よりも内フラップ先端側に設けられ、前記第一折線で前記内フラップの先端側が前記底板側に折り返されて斜め下方に延伸することを特徴とする包装箱。
【請求項２】
少なくとも一方の前記内フラップが、前記第一折線よりも前記連設される側板に近い部位に、前記第一折線に平行な方向に伸びる第二折線を有し、前記第二折線で前記底板側に折り曲げられ、前記連設される側板に連接する辺から前記第二折線までの長さよりも、前記第一折線から前記一方の内フラップ先端までの長さが長いことを特徴とする請求項１に記載の包装箱。
【請求項３】
前記側板と前記内フラップとで囲まれた空間が形成されていることを特徴とする請求項１または請求項２のいずれかに記載の包装箱。
【考案の詳細な説明】
【技術分野】
【０００１】
本考案は、一枚のブランクから底板に連結した側板を折り立てて形成する包装箱に関し、特に厚みが部位により異なる内容物が包装箱内で動いて損傷を受けるのを防ぐことができる包装箱に関する。
【背景技術】
【０００２】
包装箱は、内容物を汚染や輸送時の衝撃から守るため、また輸送時の取り扱いを容易にするため、収納することを目的として用いられている。また包装箱には内容物と共に使用する付属品などを併せて収納することがあり、その際は包装箱の内法が内容物よりも大きなものを使用する。その場合、内容物や付属品が包装箱内で動いて損傷を受けないように緩衝材を入れることが一般に行われている。それに対し特許文献１では、発泡スチロール製などの緩衝材を別に封入する代わりに、段ボール箱内部のフラップを折り曲げた部位を設けて緩衝材と同等の機能を持たせると共に、形成した収納空間に内容物を動かないように収納するようにした包装箱が開示されている。
【０００３】
しかしながら特許文献１に開示された包装箱では、内容物の形状に合わせて内部のフラップの形状を設計する必要があり、また異なる形状の内容物ごとに別個に包装箱を製作しなければならず、手間もコストもかかるという問題点があった。また、形成される収納空間は直方体の形状であり、内容物の形態によっては動かないように固定できない場合があった。
【０００４】
例えば、図３に例示したような、薄いプラスチックフィルム製の袋にある程度の厚みがあるシート状物（例えば下敷きやゲームカードなど）を収納し、一端に設けたフランジ部に店頭での陳列用の吊り下げ孔が設けられたような物品を複数重ねて収納する場合、物品の厚みがシート状物を収納した部分とフランジ部とで異なるため、図８に示すように、収納後に包装箱に振動が加わった際、内部のフラップを折り曲げた部位３２、３３は厚みが薄いフランジ部３５を抑える機能がないため、物品が移動して一端に隙間３４ができると共に薄いフランジ部３５が折れ曲がってしまい、シワになってしまうことがあった。
【先行技術文献】
【特許文献】
【０００５】
【特許文献１】特開２００２−１２２１９号公報
【考案の概要】
【考案が解決しようとする課題】
【０００６】
本考案は、上記のような従来技術の課題を解決するためなされたもので、収納する内容物が部分により厚みが異なるような形態のものであっても効果的に固定ができ、包装箱内で動いてしまうことがなくて内容物に損傷が生じる虞がなく、また内容物の形状が多少変わっても都度設計を変更して作り直す必要がなく、共通に使用できる包装箱を提供することを課題とする。
【課題を解決するための手段】
【０００７】
上記のような課題を解決するための手段として請求項１に記載の考案は、
１枚のブランクシートを折り曲げて形成される包装箱であって、略矩形の底板と、略矩形の各辺から立ち上がる側板を有し、対向する１組の側板それぞれの、底板に連続する辺に対向する辺に、包装箱中央側に折り返される内フラップが連設され、前記内フラップは、連設される側板と平行な方向に伸びる第一折線が、前記内フラップの長さ方向の中央より
も内フラップ先端側に設けられ、前記第一折線で前記内フラップの先端側が前記底板側に折り返されて斜め下方に延伸することを特徴とする包装箱を提供する。
【０００８】
また請求項２に記載の考案は、
少なくとも一方の前記内フラップが、前記第一折線よりも前記連設される側板に近い部位に、前記第一折線に平行な方向に伸びる第二折線を有し、前記第二折線で前記底板側に折り曲げられ、前記連設される側板に連接する辺から前記第二折線までの長さよりも、前記第一折線から前記一方の内フラップ先端までの長さが長いことを特徴とする請求項１に記載の包装箱を提供する。
【０００９】
また請求項３に記載の考案は、
前記側板と前記内フラップとで囲まれた空間が形成されていることを特徴とする請求項１または請求項２のいずれかに記載の包装箱を提供する。
【考案の効果】
【００１０】
請求項１の考案によれば、斜め下方に延伸する内フラップが、包装箱内で内容物と接触して押さえることで、内容物の包装箱内での水平方向および垂直方向への移動を抑制し、移動に起因する内容物のシワや折れの発生などの損傷を防ぐことができ、さらに内フラップが斜め方向となっているため、内容物の形状が多少変わっても、同等の押さえる効果が得られ、損傷を防ぐことができる包装箱が得られる。
【００１１】
また、請求項２の考案によれば、一端部で厚みが大きく変化する内容物に対しても、厚みが減少する部位で良好に斜め方向から接触して押さえることができ、内容物が水平方向および垂直方向に移動するのを防ぐことで、特に内容物の厚みが薄い部分がシワや折れなどの損傷を受けるのをより効果的に防ぐことができ、また大きさの異なる内容物であっても良好に押さえて収納することができる包装箱が得られる。
【００１２】
また、請求項３の考案によれば、側板と内フラップとに囲まれた空間を形成することで、この部分に内容物にかかる付属品を収納することができ、付属品を収納するために包装箱を大き目に設計する必要がなく、また付属品を収納することで、その重みにより、より効果的に内容物を押さえることができる包装箱が得られる。
【図面の簡単な説明】
【００１３】
【図１】本考案の包装箱のブランクシートの展開図である。
【図２】本考案の包装箱を組立て途中の外観斜視図である。
【図３】部分的に厚みの違う内容物の外観図である。
【図４】本考案の包装箱に内容物を収納した状態の外観斜視図である。
【図５】本考案の包装箱の一端の内フラップ部の断面図である。
【図６】本考案の包装箱の他端の内フラップ部の断面図である。
【図７】本考案の包装箱を開封する際の態様を示す断面図である。
【図８】従来の内フラップ付き包装箱の断面図である。
【考案を実施するための形態】
【００１４】
以下、本考案の実施の形態を、図面を参照しながら詳細に説明する。なお本考案は以下に示す実施形態に限定されるものではない。
【００１５】
図１は本考案の包装箱を構成する段ボール製のブランクシート１を平面状に展開した状態の図である。なおブランクシート１は段ボールに限らず、コシのある素材であれば特に制限はないが、環境負荷の点からは段ボール、アート紙、コート紙などのコシのある紙素
材が好ましい。コシのある素材とすることで、箱に組み上げた際に形状が安定し、後述するように内容物を押さえるのにも適している。ブランクシート１は略矩形の底板Ｄの周囲の各辺から、略直角に立ち上げられる側板Ａ１〜Ａ４が連設され、側板Ａ１およびＡ２の両側部に、側板Ａ１、Ａ２の倒れこみを防止するための補助板Ａ５〜Ａ８が設けられている。補助板Ａ５〜Ａ８は、各側板が立ち上げられた際には側板Ａ３、Ａ４の内側となる様に折り込まれる。
【００１６】
側板Ａ１には続いて内フラップＢ１が連設されている。内フラップＢ１は第一折線Ｆ１１を境界として側板側フラップＢ１１と端部側フラップＢ１２からなっている。側板Ａ２には続いて内フラップＢ２が連設され、内フラップＢ２は側板Ａ２側から順次、側板側フラップＢ２１、第２折線Ｆ２２、中折れ部Ｂ２２、第一折り線Ｆ２１、端部側フラップＢ２３が連設されている。また側板Ａ３には外フラップＣ１が、側板Ａ４には外フラップＣ２が連設されている。
【００１７】
図２はブランクシート１を折り込んで包装箱１０を組立てる途中の図である。側板Ａ１〜Ａ４はそれぞれ底板Ｄから略直角に立ち上げられ、収納スペースが形成される。内フラップＢ１は第一折線Ｆ１１で先端部側が鋭角に底板Ｄ側に折り込まれ、側板側フラップＢ１１および端部側フラップＢ１２となる。内フラップＢ２は第二折線Ｆ２２で鈍角に、第一折線Ｆ２１で鋭角に、それぞれ底板Ｄ側に折り込まれ、側板側フラップＢ２１、中折れ部Ｂ２２および端部側フラップＢ２３となる。
【００１８】
また外フラップＣ１およびＣ２は、内容物を収納して内フラップＢ１およびＢ２を折り込んだ後に内フラップＢ１、Ｂ２を覆うように包装箱１０の中央側に折り畳まれ、内フラップの幅方向略中央部で端部が拝合して包装箱１０を閉止する。また実際の使用においてはさらに拝合する端部に粘着テープを貼って封止する。
【００１９】
上記のように構成される包装箱１０に、図３に示すような薄手の内容物２を複数収納する場合について説明する。なお図３（ｂ）は図３（ａ）の線分ＨＨ´の部分での断面図である。ここで内容物２は、薄いプラスチックフィルム製の袋本体２２に例えば下敷き、ゲームカードなどある程度の厚みがあるシート状製品２３を１枚乃至数枚が収納し、一端にプラスチックフィルム製のフランジ部２１を有し、フランジ部２１には店頭での陳列用の吊り下げ孔２４が設けられている。フランジ部２１はまた持ち手ともなる部分である。従って内容物２は袋本体２２の部分とフランジ部２１とで厚みが大きく異なっている。例えば袋本体２２とフランジ部２１が厚み０．１ｍｍのプラスチックフィルムで構成され、シート状製品が厚み０．４ｍｍの下敷き１枚であれば、袋本体２２の部分全体の厚みは０．６ｍｍとなり、フランジ部２１は０．２ｍｍとなり、３倍の差が生じる。
【００２０】
図４は包装箱１０に内容物２を収納して内フラップＢ１、Ｂ２を折り込んだ状態で、外フラップＣ１、Ｃ２を折り畳もうとする状態であり、このときの包装箱１０内部での内フラップＢ１の部分を拡大した断面図が図５であり、内フラップＢ２の部分を拡大した断面図が図６である。
【００２１】
図５において、内フラップＢ１は側板Ａ１の端辺から中央側に折り返されて側板側フラップＢ１１となり、第一折線Ｆ１１で底板Ｄ側に折り返され、端部側フラップＢ１２が斜め下に伸び、袋本体２２の部分で内容物２を押さえている。端部側フラップＢ１２は、コシがある素材である段ボール自体が持つ剛性により第一折線Ｆ１１での折り返しに対して反発する力が矢印Ｅのように生じており、内容物２が移動しないように押さえる力となっている。また第一折線Ｆ１１は、内フラップＢ１が側板Ａ１から包装箱中央側に延在する方向を長さとしたとき、長さ方向の中央よりも内フラップＢ１の先端側に設けられているため、端部側フラップＢ１２の長さは側板側フラップＢ１１の長さよりも短くなっており、その先端は側板Ａ１に当接しない。そのため端部側フラップＢ１２は、第一折線Ｆ１１での折り返しに対して反発する力で付勢されて内容物２の厚みに応じて第一折線Ｆ１１を中心として回動し、内容物２を底板Ｄ側に押さえつけている。
【００２２】
また図６（ａ）において、内フラップＢ２は、側板Ａ２に連接する辺から第二折線Ｆ２２までの長さよりも、第一折線Ｆ２１からフラップの先端５までの長さが長くなっているため、側板Ａ２に連接する辺から中央側に折り返された側板側フラップＢ２１と、第二折線Ｆ２２で底板Ｄ側に折り込まれた中折れ部Ｂ２２の間の角度は鈍角となり、第一折線Ｆ２１でさらに底板Ｄ側に折り返されて斜め下に伸びている端部側フラップＢ２３と中折れ部Ｂ２２の間の角度は鋭角となる。前述の内フラップＢ１の端部側フラップＢ１２と同様に、第一折線Ｆ２１の部分が鋭角に折り込まれているため、段ボールの持つコシにより端部側フラップＢ２３も第一折線Ｆ２１での折り返しに対して反発する力Ｇで付勢されて内容物２を底板Ｄ側に押さえつける。一方内容物２は、内フラップＢ２側端部ではフランジ部２１となっており、フランジ部２１は厚みが薄いため、端部側フラップＢ２３に押さえられると容易に先端側が沈み込む。そのため端部側フラップＢ２３は袋本体２２の部分と当接する部位Ｐとフランジ部２１で斜めに底板Ｄに押さえつけている。
【００２３】
このとき端部側フラップＢ２３の先端５は側板Ａ２に当接していないため、端部側フラップＢ２３はコシによる反発力よりも強い力が加わると回動し、内容物２は側板Ａ２の方向に若干移動することができる。ただし図６（ｂ）に示すように、内容物２の側板Ａ２側への移動に伴い、端部側フラップＢ２３は押されて矢印Ｈ方向に回動するが、ある程度回動すると先端５が側板Ａ２に当接してそれ以上回動できなくなり、内容物２もそれ以上移動できなくなるため、フランジ部２１が側板Ａ２に当たって折れ曲がったり、シワが寄ったりする虞がない。またこの様に端部側フラップＢ２３が、内容物２が側板Ａ２に当たらない範囲で回動可能となっているため、内容物２の大きさが多少変わっても支障なく収納することができ、内容物２が損傷しないように良好に押さえながら収納できるため、都度包装箱の設計を変更して再作成することなく使用できる。
【００２４】
なお、内容物の形状に合わせて内フラップＢ２を設計する場合は、第二折線Ｆ２２で底板Ｄ側に折り込まれた中折れ部Ｂ２２の側板側フラップＢ２１との間の角度を略直角とし、フラップの先端５を側板Ａ２と底板Ｄの角に到達するようにしてもよい。この場合、第一折線Ｆ２１及び端部フラップＢ２３が、袋本体２２若しくはフランジ部２１を押さえつけている。
【００２５】
また側板Ａ２、Ａ３、Ａ４、内フラップＢ２で囲まれた空間が形成されるため、その空間に内容物の付属品を収納することができる。図６で例示したのは吊り下げ陳列用のＳ字フック３を小袋４に封入したものであるが、これに限られるものではない。同様に側板Ａ１、Ａ３、Ａ４、内フラップＢ１で囲まれた空間も形成され、同様に付属品を収納することができる。これにより、付属品を収納するための余分なスペースを別に設ける必要がなく、効率的である。
【００２６】
また図７に示すように、本考案の包装箱１０は内容物２と外フラップＣ１、Ｃ２の間に折り曲げられた内フラップＢ１、Ｂ２があることにより空隙７ができるため、内容物２を取り出す際に包装箱１０を開封するためにカッター６などの刃物で外フラップＣ１、Ｃ２を切り裂いたときでも、刃先が内容物２に触れて傷つける虞がなく、良好に取り出しが行える。
【００２７】
以上説明したように、本考案の包装箱によれば、発泡スチロールなどの緩衝材を別に用意する必要がないばかりでなく、部分的に厚みの違う内容物であっても安定して包装箱内で動かないように押さえて収納できるため、包装箱内で内容物が移動して損傷を受けるこ
とがなく、また内容物の大きさが多少変更になった場合でも設計変更や再作成が不要でそのまま使用できる包装箱を提供できる。
【符号の説明】
【００２８】
１・・・ブランクシート
２・・・内容物
３・・・Ｓ字フック
４・・・小袋
５・・・端部
６・・・カッター
７・・・空隙
１０・・・包装箱
２１・・・フランジ部
２２・・・袋本体
２３・・・下敷き
２４・・・吊り下げ孔
Ａ１、Ａ２、Ａ３、Ａ４・・・側板
Ａ５、Ａ６、Ａ７、Ａ８・・・補助板
Ｂ１、Ｂ２・・・内フラップ
Ｃ１、Ｃ２・・・外フラップ
Ｄ・・・底板
Ｆ１１、Ｆ２１・・・第一折線
Ｆ２２・・・第二折線
【図１】
0003210339.tif 000003
【図２】
0003210339.tif 000004
【図３】
0003210339.tif 000005
【図４】
0003210339.tif 000006
【図５】
0003210339.tif 000007
【図６】
0003210339.tif 000008
【図７】
0003210339.tif 000009
【図８】
0003210339.tif 000010